(57)【特許請求の範囲】
【請求項１】
枠部材の角部に形成された有底の略角筒状の隅脚部と該隅脚部の中間に形成された同じく有底の略角筒状の中間脚部と枠部材の中央に形成された同じく有底の略角筒状の中央脚部とを有する合成樹脂製パレットにおいて、隅脚部と中間脚部の相対する外側面同士が、枠部材の辺に平行な適当数のリブにより連結されているとともに、中間脚部と中央脚部の相対する外側面同士が、枠部材の辺に平行な適当数のリブにより連結されており、また、隅脚部、中間脚部及び中央脚部のコ−ナ−には、コ−ナ−の接線に対して垂直な方向に延在するコ−ナ−リブが形成されており、更に、隅脚部のコ−ナ−リブの先端と中間脚部のコ−ナ−リブの先端とが、枠部材の辺に平行なリブにより連結されているとともに、中間脚部のコ−ナ−リブの先端と中央脚部のコ−ナ−リブの先端とが、枠部材の辺に平行なリブにより連結されていることを特徴とする合成樹脂製パレット。
【発明の詳細な説明】
【０００１】
【発明の属する技術分野】
本発明は、荷物が載置されるデッキボードの下面に、複数の脚部が形成されている合成樹脂製パレットに関するものである。
【０００２】
【従来の技術】
従来、デッキボードの下面の四隅に形成された、複数の上方が開放され、且つ、有底なコップ状の脚部からなる隅脚部と、隅脚部の中間に形成された、同じく複数のコップ状の脚部からなる中間脚部と、デッキボードの下面の中央部に形成された、同じく複数のコップ状の脚部からなる中央脚部とを有し、隅脚部と中間脚部との間及び中間脚部と中央脚部との間に、フォーク挿入空間が形成されている合成樹脂製パレットが知られている（例えば、実開昭５９−３８３６号公報、実開昭６０−１８９３０号公報等）。
【０００３】
上述した合成樹脂製パレットにおいては、隅脚部と中間脚部との連結領域や、中間脚部と中央脚部との連結領域や、隅脚部、中間脚部及び中央脚部との連結領域以外の領域には、交叉するリブが形成されており、この交叉リブが、荷物が載置されるデッキボードを形成することになる。
【０００４】
【発明が解決しようとする課題】
上述した従来の合成樹脂製パレットにおいては、隅脚部と中間脚部とを連結するリブや中間脚部と中央脚部とを連結するリブが、隅脚部や中間脚部や中央脚部のアールを有する角部同士を連結するものではなく、角部付近の隅脚部や中間脚部や中央脚部の変形し易い平面部を連結しているために、交叉リブが変形し易い、即ち、交叉リブにより構成されるデッキボードが変形し易いという問題があった。
【０００５】
本発明の目的は、上述した従来の合成樹脂製パレットが有する課題を解決することにある。
【０００６】
【課題を解決するための手段】
本発明は、上述した目的を達成するために、枠部材の角部に形成された有底の略角筒状の隅脚部と該隅脚部の中間に形成された同じく有底の略角筒状の中間脚部と枠部材の中央に形成された同じく有底の略角筒状の中央脚部とを有する合成樹脂製パレットにおいて、隅脚部と中間脚部の相対する外側面同士が、枠部材の辺に平行な適当数のリブにより連結されているとともに、中間脚部と中央脚部の相対する外側面同士が、枠部材の辺に平行な適当数のリブにより連結されており、また、隅脚部、中間脚部及び中央脚部のコ−ナ−には、コ−ナ−の接線に対して垂直な方向に延在するコ−ナ−リブが形成されており、更に、隅脚部のコ−ナ−リブの先端と中間脚部のコ−ナ−リブの先端とを、枠部材の辺に平行なリブにより連結するとともに、中間脚部のコ−ナ−リブの先端と中央脚部のコ−ナ−リブの先端とを、枠部材の辺に平行なリブにより連結したものである。
【０００７】
【実施例】
以下に、本発明の実施例について説明するが、本発明の趣旨を越えない限り何ら、本実施例に限定されるものではない。
【０００８】
１は、額縁状の枠部材であり、枠部材１の４つの角部には、上方が開放され、且つ、有底の略角筒コップ状の隅脚部２が形成されている。また、隅脚部２の中間には、隅脚部２と同様の略角筒コップ状の中間脚部３が形成されており、更に、枠部材１の中央には、隅脚部２と同様の略角筒コップ状の中央脚部４が形成されている。隅脚部２、中間脚部３及び中央脚部４以外の枠部材１内の領域は、交叉リブ構造に形成されており、パレット全体は、合成樹脂で一体に成形されている。
【０００９】
隅脚部２のアールが形成されたコーナー２ａからは、コーナー２ａの接線に対して垂直な方向に延在する所定の長さのコーナーリブ５ａが形成されている。同様に、中間脚部３のアールが形成されたコーナー３ａからも、コーナー３ａの接線に対して垂直な方向に延在する所定の長さのコーナーリブ５ａが形成されており、また、中央脚部４のアールが形成されたコーナー４ａからも、コーナー４ａの接線に対して垂直な方向に延在する所定の長さのコーナーリブ５ａが形成されている。
【００１０】
隅脚部２に形成されたコーナーリブ５ａの先端と、中間脚部３に形成されたコーナーリブ５ａの先端とは、枠部材１の各辺１ａに平行なリブ５ｂにより連結されており、同様に、中間脚部３に形成されたコーナーリブ５ａの先端と、中央脚部４に形成されたコーナーリブ５ａの先端とも、枠部材１の各辺１ａに平行なリブ５ｂにより連結されている。
【００１１】
隅脚部２と中間脚部３の相対する外側面２ｂ、３ｂの平坦面部分（コーナー２ａ、３ａ以外の平坦な側面）同士は、枠部材１の各辺１ａに平行な適当数のリブ５ｃにより連結されており、同様に、中間脚部３と中央脚部４の相対する外側面３ｂ、４ｂの平坦面部分（コーナー３ａ、４ａ以外の平坦な側面）同士も、枠部材１の各辺１ａに平行な適当数のリブ５ｃにより連結されている。枠部材１の各辺１ａに平行なリブ５ｂ、５ｃは、必要に応じて、枠部材１の各辺１ａに平行なリブ５ｄにより、適宜、連結され、枠部材１、コーナーリブ５ａ及び枠部材１の各辺１ａに平行なリブ５ｂ、５ｃ、５ｄにより、荷物が載置されるデッキボードが形成されている。なお、上記のリブ５ｂ、５ｃを連結するリブ５ｄは、枠部材１の相対する辺１ａを連結するように延在する場合もあり、また、枠部材１の相対する辺１ａまで到達しない場合もある。更には、リブ５ｄを連結するリブ５ｅを、適宜、形成することもできる。
【００１２】
上述したように、隅脚部２のアールを有するコーナー２ａ、中間脚部３のを有するコーナー３ａ及び中央脚部４のアールを有するコーナー４ａには、各コーナー２ａ、３ａ、４ａの接線に対して垂直な方向に延在するコーナーリブ５ａが形成されているとともに、コーナーリブ５ａの先端同士は、枠部材１の各辺１ａに平行なリブ５ｂにより連結され、更に、平行なリブ５ｂ、５ｃが、枠部材１の各辺１ａに平行なリブ５ｄにより、適宜、連結されて、本実施例の合成樹脂製パレットが構成されている。
【００１３】
本実施例においては、隅脚部２、中間脚部３及び中央脚部４の強度的に一番強いコーナー２ａ、３ａ、４ａに、コーナー２ａ、３ａ、４ａの接線に対して垂直な方向に延在するコーナーリブ５ａを形成するとともに、コーナーリブ５ａの先端同士を、枠部材１の各辺１ａに平行なリブ５ｂにより連結するように構成したので、デッキボードを構成するコーナーリブ５ａ及び枠部材１の各辺１ａに平行なリブ５ｂ、５ｃ、５ｄ全体の強度や剛性が大きくなり、従って、荷物を載置した際の合成樹脂製パレットの変形や、隅脚部２と中間脚部３との間及び中間脚部３と中央脚部４との間に、フォーク挿入空間６にフォークを挿入して、合成樹脂製パレットを持ち上げた際の合成樹脂製パレットの変形が抑制されることになる。
【００１４】
なお、上述した実施例には、隅脚部２、中間脚部３及び中央脚部４を有し、隅脚部２と中間脚部３との間及び中間脚部３と中央脚部４との間に、フォーク挿入空間６が形成されている、所謂、四方差しの合成樹脂製パレットが示されているが、本発明の趣旨は、相対する平行な側部脚部と、側部脚部間に形成され、且つ、側部脚部に平行な中間脚部を有し、側部脚部と中間脚部との間に２本のフォーク挿入空間が形成されている、所謂、二方差しの合成樹脂製パレットに適用することもできる。
【００１５】
【発明の効果】
本発明は、以上説明した構成を有しているので、以下に記載する効果を奏するものである。
【００１６】
脚部のコーナーに、コーナーの接線に対して垂直な方向に延在するコーナーリブを形成するとともに、コーナーリブの先端同士を、枠部材の各辺に平行なリブにより連結したので、デッキボードの強度や剛性を大きくすることができ、ひいては、合成樹脂製パレットの変形を抑制することができる。
【図面の簡単な説明】
【図１】図１は本発明の合成樹脂製パレットの斜視図である。
【図２】図２は本発明の合成樹脂製パレットの部分裏面図である。
【符号の説明】
１・・・・・・・・・枠部材
２・・・・・・・・・隅脚部
３・・・・・・・・・中間脚部
４・・・・・・・・・中央脚部
５ａ・・・・・・・・コーナーリブ
【図１】
0004031912.tif 000002
【図２】
0004031912.tif 000003